(57)【要約】【課題】雄端子と雌端子との接触安定性が高く、しかも雄端子と雌端子の摺動摩耗が回避された接続信頼性の高い雌端子を提供する。【解決手段】筒状を成す電気接触部４２の一方の壁部４２ｅに第１の弾性接触片５０及び第２の弾性接触片５２をそれぞれ設け、電気接触部４２の他方の壁部４２ａに第３の弾性接触片５４を設け、第１の弾性接触片５０、第２の弾性接触片５２及び第３の弾性接触片５４により、雄端子１３を板厚方向に相対移動可能に保持する。雄端子１３の挿入方向に、第１の弾性接触片５０、第３の弾性接触片５４、第２の弾性接触片５２を順に配置する。第１の弾性接触片５０と第２の弾性接触片５２とを互いに交差する方向に延出させる。各弾性接触片５０，５２，５４の先端側に、電気接触部４２の一方又は他方の壁部４２ａ，４２ｅ内面に当接可能な当接部５１ｃ，５３ｃ，５５ｃを設ける。【選択図】　　　図１
2004139875.tif 000002
【特許請求の範囲】
【請求項１】
筒状を成す電気接触部の一方の壁部に第１の弾性接触片及び第２の弾性接触片がそれぞれ設けられ、該電気接触部の他方の壁部に第３の弾性接触片が設けられ、該第１の弾性接触片、該第２の弾性接触片及び該第３の弾性接触片により、雄端子が板厚方向に相対移動可能に保持されることを特徴とする雌端子。
【請求項２】
前記雄端子の挿入方向に、前記第１の弾性接触片、前記第３の弾性接触片、前記第２の弾性接触片が順に配置されたことを特徴とする請求項１記載の雌端子。
【請求項３】
前記第１の弾性接触片と前記第２の弾性接触片とが互いに交差する方向に延出されたことを特徴とする請求項１又は２記載の雌端子。
【請求項４】
前記雄端子と各弾性接触片との摺動部に潤滑剤が塗布されたことを特徴とする請求項１〜３の何れか１項に記載の雌端子。
【請求項５】
各弾性接触片の先端側には、前記電気接触部の一方又は他方の壁部内面に当接可能な当接部が設けられたことを特徴とする請求項１〜４の何れか１項に記載の雌端子。
【発明の詳細な説明】
【０００１】
【発明の属する技術分野】
本発明は、コネクタハウジングなどに収容されて、相手側のコネクタハウジングに収容された雄端子と電気的に接続する雌端子に関するものである。
【０００２】
【従来の技術】
図５には、従来の雌端子の一例が示されている（特許文献１）。
【０００３】
雌端子７０は、導電性基板を打ち抜き、その後に折り曲げ加工を経て形成されたものであり、一側に電気接触部７１を有し、他側に電気接触部７１に連続する電線圧着部７９を備えている。
【０００４】
電気接触部７１は、筒状をなし、前端面７２及び後端面７３が開口形成されている。雄端子８０は、前端開口から挿入されて、奥側に進入可能になっている。雄端子８０の挿入完了状態では、雄端子８０の先端が後端開口に臨んでいる。
【０００５】
雌端子７０の電気接触部７１を形成する天井壁７５の両端部には、延出部が一体に形成されていて、この延出部を下方に折り曲げることによって前側弾性接触片７６と後側弾性接触片７７とがそれぞれ形成されている。前側弾性接触片７６と後側弾性接触片７７とは、対称形状をなしており、対向して位置している。
【０００６】
前側弾性接触片７６と後側弾性接触片７７は、その突当部７６ａ，７７ａ同士が互いに当接しているため、雄端子８０の挿入時には両弾性接触片７６，７７の弾性撓みが抑制され、雄端子８０が高い接触圧力で挟持されるようになっている。
【０００７】
電気接触部７１の底壁７５には、雄端子８０の挿入方向に延びるリブ７８が上向きに突出形成されている。このリブ７８は、プレス加工などによってエンボス形成されたものであり、前側弾性接触片７６及び後側弾性接触片７７とは異なり弾性を有するものではない。
【０００８】
雌端子７０の電気接触部７１に雄端子８０を挿入すると、雄端子８０は、前側弾性接触片７６を弾性変形させて、前側弾性接触片７６とリブ７８との間に挟まれる。次ぎに、雄端子８０を奥へ押し込むと、雄端子８０は後側弾性接触片７７を弾性変形させて、後側弾性接触片７７とリブ７８との間に挟まれる。
【０００９】
すなわち、雄端子８０は、前側弾性接触片７６と後側弾性接触片７７の２点で弾性的に保持されるようになっている。これにより、雄端子８０と両弾性接触片７６，７７との接触面積が確保され、接触抵抗の低減が図られている。また、電線が振動した場合であっても、雄端子８０のがたつきが生じ難く、雄端子８０と両弾性接触片７６，７７との安定した接触状態が保たれるようになっている。
【００１０】
【特許文献１】
特開平９−４５４０３号公報（第２−３頁、第２図）
【００１１】
【発明が解決しようとする課題】
しかしながら、上記従来の雌端子７０では、解決すべき以下の問題点がある。
【００１２】
一つには、両弾性接触片７６，７７は弾性的であるのに対し、リブ７８は弾性的でないため、図示しない電線やコネクタなどに振動が生じ、雄端子８０や雌端子７０にその振動が伝わり、上下方向に雄端子８０や雌端子７０が振動すると、雄端子８０とリブ７８との間に隙間が形成されて、両端子７０，８０に接続不良が生ずることがある。
【００１３】
すなわち、振動により雄端子８０に上方への力が生じた場合は、雄端子８０が両弾性接触片７６，７７を押圧しながら上方へ移動し、雄端子８０がリブ７８から離れることがある。逆に、振動により雄端子８０に下方への力が生じた場合は、雄端子８０がリブ７８に強く押し付けられるだけであり、雄端子８０が両弾性接触片７６，７７から離れることはない。
【００１４】
振動が生じた場合に、雄端子８０がリブ７８から離れないようにするには、両弾性接触片７６，７７のばね定数を大きくし、両弾性接触片７６，７７と雄端子８０との接触圧力を高めることが考えられるが、コネクタ嵌合時の雄端子８０の挿入抵抗が大きくなってしまい、コネクタの嵌合作業性が悪くなってしまうという問題がある。対向する雄端子８０と雌端子７０とにピッチずれがある場合には、雄端子８０を無理に押し込むと、雄端子８０が座屈して折れ曲がることもある。
【００１５】
また一つに、雄端子８０がリブ７８と両弾性接触片７６，７７との間で摺動した際に、雄端子８０に摺動摩耗が生じることがある。摺動部には、酸化皮膜が形成されて、接触抵抗が高くなり、導通不良を生ずることもある。
【００１６】
本発明は、上記した点に鑑み、コネクタのがたつきや電線のばたつきなどにより振動が生ずる場合であっても雄端子と雌端子との接触安定性が高く、しかも雄端子と雌端子の摺動摩耗が回避された接続信頼性の高い雌端子を提供することを目的とする。
【００１７】
【課題を解決するための手段】
上記目的を達成するために、請求項１記載の発明は、筒状を成す電気接触部の一方の壁部に第１の弾性接触片及び第２の弾性接触片がそれぞれ設けられ、該電気接触部の他方の壁部に第３の弾性接触片が設けられ、該第１の弾性接触片、該第２の弾性接触片及び該第３の弾性接触片により、雄端子が板厚方向に相対移動可能に保持されることを特徴とする。
【００１８】
上記構成によれば、電気接触部の内側には、３箇所の位置に弾性接触片が設けられているから、雄端子と雌端子の接触面積が増加して、両端子の接触抵抗が低減され、接触安定性が高まる。また、雄端子は、弾性接触片の間に挟まれ、動かないように保持されるから、雄端子と雌端子の摺動摩耗が回避される。
【００１９】
また、雄端子は、板厚方向に相対移動可能に保持されるから、端子間にピッチずれがある場合や、コネクタのがたつきや電線のばたつきなどによって振動が生ずる場合であっても、雄端子が各弾性接触片を押し付けながらピッチずれや振動に追随する。
【００２０】
また、請求項２記載の発明は、請求項１記載の雌端子において、前記雄端子の挿入方向に、前記第１の弾性接触片、前記第３の弾性接触片、前記第２の弾性接触片が順に配置されたことを特徴とする。
【００２１】
上記構成によれば、第３の弾性接触片が、第１の弾性接触片及び第２の弾性接触片の間に位置するから、３点の作用点で雄端子が保持され、雄端子の挿入方向に生じる振動によって、雄端子と各弾性接触片とが摺動することが防止される。
【００２２】
また、請求項３記載の発明は、請求項１又は２記載の雌端子において、前記第１の弾性接触片と前記第２の弾性接触片とが互いに交差する方向に延出されたことを特徴とする。
【００２３】
上記構成によれば、各弾性接触片の干渉が防止され、各弾性接触片を長く形成することができる。このため、振動に対する雄端子の追随性が向上し、接触安定性が向上する。
【００２４】
また、請求項４記載の発明は、請求項１〜３の何れか１項に記載の雌端子において、前記雄端子と各弾性接触片との摺動部に潤滑剤が塗布されたことを特徴とする。
【００２５】
上記構成によれば、摺動部に酸化皮膜が形成され難くなり、接触抵抗が高くなることが防止され、電気的接続の信頼性が維持される。潤滑剤としては、プレスオイル、シリコングリース、コーティング剤などが使用される。
【００２６】
また、請求項５記載の発明は、請求項１〜４の何れか１項に記載の雌端子において、各弾性接触片の先端側には、前記電気接触部の一方又は他方の壁部内面に当接可能な当接部が設けられたことを特徴とする。
【００２７】
上記構成によれば、雄端子に押された各弾性接触片は、当接部を電気接触部の一方又は他方の壁部内面に当接させることで、雄端子を押し返す復元力が強くなり、接触圧力を高めることができる。
【００２８】
【発明の実施の形態】
以下に本発明の実施の形態の具体例を図面を用いて詳細に説明する。
図１〜図４は、本発明に係る雌端子の一実施形態を示すものである。
【００２９】
図１に示す雌端子４０は、図２に示す展開状態にある導電性基板４８を折り曲げて形成されたものであり、一側に角筒状の電気接触部４２、他側に電線接続部４７が形成されている。
【００３０】
電気接触部４２は、図２に示す導電性基板４８を２点鎖線で示された折り曲げ線に沿って折り曲げることによって形成される。底壁４２ａ（他方の壁部）の両側には、底壁４２ａから略垂直に立ち上がる側壁４２ｂ、４２ｃが連なり、底壁４２ａの前縁には第３の弾性接触片５４が延長形成されている。一側壁４２ｂには、略直角に折り曲げられる縁壁４２ｄが連なり、他側壁４２ｃには、略直角に折り曲げられる天井壁４２ｅ（一方の壁部）が連なっている。天井壁４２ｅの長手方向両側には、第１の弾性接触片５０及び第２の弾性接触片５２が延長して形成されている。
【００３１】
天井壁４２ｅが連なる側壁４２ｃは、電線接続部４７の圧着片４７ａ、４７ｂより高くなっている。このため、展開図に示すように、第２の弾性接触片５２が圧着片４７ａ、４７ｂの外側に位置することとなり、相互に干渉することが防止されている。
【００３２】
図２に示す電気接触部４２を構成する各壁部４２ｂ，４２ｃ，４２ｄ，４２ｅを、折り曲げて組み立てた状態が図１又は図４に示されている。各壁部４２ｂ，４２ｃ，４２ｄ，４２ｅに囲まれた内側の空間は、雄端子１３の挿入空間になっている。電気接触部４２の前端面４４と後端面４５は開口形成されていて、前端開口から雄端子１３のタブ状の電気接触部１３ａが挿入されるようになっている。
【００３３】
第１の弾性接触片５０及び第２の弾性接触片５２が天井壁４２ｅに設けられ、第３の弾性接触片５４が底壁４２ａに設けられ、雄端子１３が第１の弾性接触片５０、第２の弾性接触片５２及び第３の弾性接触片５４により上下（板厚）方向に相対移動可能に保持されることが本発明の第１の特徴である。
【００３４】
第１の弾性接触片５０及び第２の弾性接触片５２と、第３の弾性接触片５４とは、雄端子１３を挟持することができるように、電気接触部４２の対向する壁部に設けられていればよく、第１の弾性接触片５０及び第２の弾性接触片５２を底壁４２ａに設け、第３の弾性接触片５４を天井壁４２ｅに設けてもよい。
【００３５】
第１の弾性接触片５０は、天井壁４２ｅの前端縁部に一体的に連なる略直角三角形状の延長部であり、この延長部を電気接触部４２の内側に入るように折り返し、延長部を下向きに凸形状となるように折り曲げて、そのまま後方へ延出させることにより形成されている。
【００３６】
第１の弾性接触片５０の先端側に、天井壁４２ｅに当接可能な当接部５１ｃを設けたことも本発明の特徴である。この当接部５１ｃは、天井壁４２ｅに沿って延長する部分であり、天井壁４２ｅに当接可能になっている。すなわち、雄端子１３の挿入前は天井壁４２ｅから離れていて、雄端子１３の挿入後は天井壁４２ｅに当接するようになっている。
【００３７】
当接部５１ｃが天井壁４２ｅに当接すると、第１の弾性接触片５０の弾性力が強くなり、この弾性力でタブ状の電気接触部１３ａが押し返されて、電気接触部１３ａと第１の弾性接触片５０との接触圧力が高まり、接触安定性が向上するようになっている。
【００３８】
第１の弾性接触片５０の付け根側は、天井壁４２ｅに連なる部分であり、曲げ応力の集中する部分であるため、滑らかな弧状になるように形成されている。ばね定数を大きくして、弾性力を高める必要がある場合は、付け根側を太く形成することが有効である。逆に、ばね定数を小さくして、弾性力を低くする必要のある場合は、付け根側を細く形成することが有効である。
【００３９】
第１の弾性接触片５０の先端側と付け根側の間に位置する湾曲部には、下向きに突出する接触部５１ａ（摺動部）がエンボス成形されている。接触部５１ａはタブ状の電気接触部１３ａと電気的に接触する。
【００４０】
また、接触部５１ａに、プレスオイルなどの潤滑剤を塗布することも有効である。潤滑剤には、プレスオイルの他にシリコングリース、コーティング剤などが使用される。接触部５１ａに潤滑剤を塗布することにより、摺動摩耗が抑制され、接触部５１ａに酸化皮膜が形成されず、接触抵抗が高くなることが防止され、電気的接続の信頼性が維持される。なお、シリコングリースは、被膜形成を抑制する効果の他に振動吸収効果も有しており、例えば、強制振動や自励振動などに有効である。
【００４１】
第２の弾性接触片５２は、天井壁４２ｅの後端縁部に一体的に連なる略直角三角形状の延長部であり、この延長部を電気接触部４２の内側に入るように折り返し、延長部を下向きに凸形状となるように折り曲げて、そのまま前方へ延出させることにより形成されている。第２の弾性接触片５２の先端側にも、天井壁４２ｅに当接可能な当接部５３ｃが設けられている。また、第２の弾性接触片５２の湾曲部には、下向きに突出する接触部５３ａがエンボス成形されている。
【００４２】
第１の弾性接触片５０と第２の弾性接触片５２は、対称形状をなして雄端子１３の挿入方向に一列に並び、天井壁４２ｅの略中間でその先端側が交差している。第１の弾性接触片５０と第２の弾性接触片５２とが互いに交差する方向に延出していることも本発明の特徴である。
【００４３】
図１又は図３に示すように、第１の弾性接触片５０と第２の弾性接触片５２とを互いに交差する方向に延出させると、各弾性接触片５０，５２を長く伸ばすことが可能となる。このため、端子のピッチずれや振動などに対する雄端子１３の追随性が向上し、各弾性接触片５０，５２と雄端子１３とが離れず、接触安定性が向上する。
【００４４】
各弾性接触片５０，５２のばね定数が小さくても、天井壁４２ｅの２箇所に弾性接触片５０，５２が設けられているため、弾性接触片が一つだけの場合と比べると接触圧力が２倍になり、コネクタハウジング１２，２０のがたつきや電線３９のばたつきなどによって振動が生じても、両端子１３，４０の安定した接触状態を保つことができる。
【００４５】
第３の弾性接触片５４は、底壁４２ａの前端縁部に一体的に連なる直方体形状の延長部であり、この延長部を電気接触部４２の内側に入るように折り返し、延長部を上向きに凸形状となるように折り曲げて、そのまま後方へ延出させることにより形成されている。第３の弾性接触片５４の先端側にも、第１、第２の弾性接触片５０，５２と同様にして底壁４２ａに当接可能な当接部５５ｃが設けられている。
【００４６】
この第３の弾性接触片５４は、第１、第２の弾性接触片５０，５２の相似形であり、略２倍の寸法に形成されている。このため、第３の弾性接触片５４は、底壁４２ａの前端縁部から後端縁部まで、電気接触部４２の全長に渡って延出形成されている。ばね定数も、概ね２倍に設定されている。
【００４７】
また、第３の弾性接触片５４にも、第１、第２の弾性接触片５０，５２と同様にしてタブ状の電気接触部１３ａに対する接触部５５ａが形成されている。雄端子１３の挿入方向に、第１の弾性接触片５０の接触部５１ａ、第３の弾性接触片５４の接触部５５ａ、第２の弾性接触片５２の接触部５３ａが順に配置されている。言い換えると、第３の弾性接触片５４の接触部５５ａが、第１の弾性接触片５０の接触部５１ａと第２の弾性接触片５２の接触部５３ａの間に位置している。
【００４８】
このように配置することで、雄端子１３は各弾性接触片５０，５２，５４の３点の作用点で保持されて、雄端子１３の挿入方向に生じる振動によって、雄端子１３と各弾性接触片５０，５２，５４とが摺動することが防止されている。
【００４９】
次ぎに、雌端子４０が収容された雄型コネクタハウジング２０と、雄端子１３が収容された雌型コネクタハウジング１２について説明する。
【００５０】
図４に示すように、雄型コネクタハウジング２０は、筒状のインナーハウジング２６と、インナーハウジング２６の外側を囲むフード部３６とからなっている。インナーハウジング２６は、その内側に端子収容室２８を有していて、この端子収容室２８に電線３９の端部に接続された雌端子４０が収容されるようになっている。
【００５１】
雌端子４０の電線接続部４７には、防水用のゴム栓３５に挿通された電線３９が圧着されている。ゴム栓３５は、蛇腹状のチューブであり、端子収容室２８の内面に密着した状態に装着されている。これにより、電線３９を伝う水滴が端子収容室２８に浸入することが防止されている。
【００５２】
端子収容室２８の長手方向中間部に位置する内壁上部からは、ハウジングランス３０が前方に向けて突出形成されている。ハウジングランス３０の先端部には、係止面３０ａが形成されていて、この係止面３０ａが端子収容室２８に挿入された雌端子４０の電気接触部４２に形成された係止部４６に当接して、雌端子４０が係止されるようになっている。
【００５３】
ハウジングランス３０の上方には、ハウジングランス３０の撓み空間３１が形成されていて、雌端子４０によってハウジングランス３０が上方に押し上げられることで、雌端子４０の挿入が許容されている。撓み空間３１に、インナーハウジング２６の前端部に装着されたフロントホルダ３４の突出部３４ａが挿入されると、ハウジングランス３０の撓みが規制されて雌端子４０の後抜けが防止されるようになっている。
【００５４】
インナーハウジング２６の奥壁側には、防水リング３３が嵌着されていて、この防水リング３３が雌型コネクタハウジング１２の周壁１５の内周面に密着することで、一対のコネクタハウジング１２，２０間の防水が図られるようになっている。
【００５５】
フード部３６は、略角筒状をなし、インナーハウジング２６の後半部に一体的に連なり、コネクタ嵌合方向に突出形成されている。フード部３６の内壁には、雌型コネクタハウジング１２の周壁１５に突設された図示しないガイドリブに対する図示しないガイド溝が凹設されていて、双方のコネクタハウジング１２，２０の嵌合動作が円滑に行われるようになっている。
【００５６】
インナーハウジング２６とフード部３６の間の空間は、雌型コネクタハウジング１２が嵌入する環状の嵌合空間３８になっている。この嵌合空間３８は、雌型コネクタハウジング１２の周壁１５が緊密に嵌合する空間に形成されている。
【００５７】
雌型コネクタハウジング１２は、自動車の車両搭載機器に直付けされた待ち受け状態にある機器側のコネクタハウジングであり、雄型コネクタハウジング２０のインナーハウジング２６を受け入れるコネクタ嵌合室１９が、環状の周壁１５の内側に形成されている。
【００５８】
雄端子１３は、雄型コネクタハウジング２０の端子挿通孔２７に対向して配置され、コネクタ嵌合室１９内でコネクタ嵌合方向前方に突出している。一対のコネクタハウジング１２，２０を嵌合させると、タブ状の電気接触部１３ａが端子挿通孔２７にガイドされながら雌端子４０の電気接触部４２に挿入されるようになっている。
【００５９】
周壁１５の天井壁１５ａの幅方向中央には、雄型コネクタハウジング２０のロックアーム２５に係合する係合溝１６が形成されている。係合溝１６の前方には、略垂直の係止面１６ａが形成されていて、この係止面１６ａにロックアーム２５の先端部２５ａが係止されて、一対のコネクタハウジング１２，２０が抜け出さないように嵌合するようになっている。
【００６０】
一対のコネクタハウジング１２，２０の嵌合は、雌型コネクタハウジング１２に雄型コネクタハウジング２０を対向させ、一対のコネクタハウジング１２，２０を相互に接近させて、環状の嵌合空間３８に周壁１５を押し込むことで行われる。
【００６１】
なお、雌端子４０の上下の向きや、コネクタハウジング１２，２０の上下の向きは、図１又は図３の使用形態での話であり、コネクタハウジング１２，２０の実使用の際には、上下の向きが逆になることもある。
【００６２】
【発明の効果】
以上の如く、請求項１記載の発明によれば、雄端子は、板厚方向に相対移動可能に保持されるから、端子間にピッチずれがある場合や、コネクタのがたつきや電線のばたつきなどによって振動が生ずる場合であっても、雄端子が各弾性接触片を押し付けながらピッチずれや振動に追随する。従って、雄端子と雌端子との接触安定性を向上することができる。
【００６３】
また、請求項２記載の発明によれば、雄端子の挿入方向に、第１の弾性接触片、第３の弾性接触片、第２の弾性接触片が順に配置されているから、第３の弾性接触片が第１の弾性接触片及び第２の弾性接触片の間に位置し、３点の作用点で雄端子が保持され、雄端子の挿入方向に生じる振動によって、雄端子と各弾性接触片とが摺動することが防止される。従って、雄端子と雌端子の接触抵抗を低減でき、接続信頼性を高めることができる。
【００６４】
また、請求項３記載の発明によれば、第１の弾性接触片と第２の弾性接触片とが互いに交差する方向に延出しているから、各弾性接触片の干渉が防止され、各接触片を長く形成することができる。従って、振動に対する雄端子の追随性が良くなり、請求項１記載の効果がより一層高まる。
【００６５】
また、請求項４記載の発明によれば、雄端子と各弾性接触片との摺動摩耗が抑制されるから、摺動部に酸化皮膜が形成されず、接触抵抗が高くなることが防止される。従って、請求項２記載の効果が助長され、電気的接続の信頼性が維持される。
【００６６】
また、請求項５記載の発明によれば、各弾性接触片の先端側には当接部が設けられているから、雄端子に押された各弾性接触片は、当接部を電気接触部の一方又は他方の壁部内面に当接させることで、雄端子を押し返す復元力が強くなり、接触圧力を高めることができる。従って、雄端子と各弾性接触片の接触状態が安定した状態に保たれて、接触安定性がより一層向上する。
【図面の簡単な説明】
【図１】本発明に係る雌端子の一実施形態を示す一部断面図である。
【図２】図１に示す雌端子の展開図である。
【図３】図１に示す第１の弾性接触片と第２の弾性接触片を折り曲げた状態の図である。
【図４】図１に示す雌端子が収容された雄型コネクタハウジングと、雄端子が収容された雌型コネクタハウジングとの嵌合状態を示す断面図である。
【図５】従来の雌端子の一例を示す一部断面図である。
【符号の説明】
１３　　　　　　　　　　　　雄端子
４０　　　　　　　　　　　　雌端子
４２　　　　　　　　　　　　電気接触部
４２ａ　　　　　　　　　　　底壁
４２ｅ　　　　　　　　　　　天井壁
５０　　　　　　　　　　　　第１の弾性接触片
５２　　　　　　　　　　　　第２の弾性接触片
５４　　　　　　　　　　　　第３の弾性接触片
５１ｃ，５３ｃ，５５ｃ　　　当接部
【図１】
2004139875.tif 000003
【図２】
2004139875.tif 000004
【図３】
2004139875.tif 000005
【図４】
2004139875.tif 000006
【図５】
2004139875.tif 000007